【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
外部装置から受けた校正用の画像データを解析して、当該画像データにＲＩＰ処理が施されていない場合に、これを施す解析加工手段と、
前記ＲＩＰ処理が施されたラスター画像データを保存する保存手段と、
前記保存されたラスター画像データを送信する送信手段と、
前記送信後に前記保存手段に保持されたラスター画像データを消去する第１のモードと、前記送信後にも前記保存手段に保持されたラスター画像データを継続して保持する第２のモードの何れか一方を選択するためのモード選択手段と、
前記モード選択手段により前記第１のモードが予め選択された場合に、前記送信後に前記保存手段に保持された前記ラスター画像データを消去する消去手段と、を有する制御装置と、
前記送信されたラスター画像データを受信して、当該ラスター画像データに基づく画像を出力することで前記校正用の色見本を作成する画像出力装置と、を備えたことを特徴とする画像出力システム。
【請求項２】
前記モード選択手段により前記第２のモードが予め選択された場合に、前記送信後に、前記送信手段により前記保存手段に保持されたラスター画像データを前記画像出力装置に再送信する指示を行うための再送信指示手段をさらに備えたことを特徴とする請求項１に記載の画像出力システム。
【請求項３】
ラスター画像データに基づく画像を出力することで校正用の色見本を作成する画像出力手段に対して、前記ラスター画像データを送信する制御装置であって、
外部装置から受けた前記校正用の画像データを解析して、当該画像データにＲＩＰ処理が施されていない場合に、これを施す解析加工手段と、
前記ＲＩＰ処理が施されたラスター画像データを保存する保存手段と、
前記保存されたラスター画像データを前記画像出力装置に送信する送信手段と、
前記送信後に前記保存手段に保持されたラスター画像データを消去する第１のモードと、前記送信後にも前記保存手段に保持されたラスター画像データを継続して保持する第２のモードの何れか一方を選択するためのモード選択手段と、
前記モード選択手段により前記第１のモードが予め選択された場合に、前記送信後に前記保存手段に保持された前記ラスター画像データを消去する消去手段と、を有することを特徴とする制御装置。
【請求項４】
前記モード選択手段により前記第２のモードが予め選択された場合に、前記送信後に、前記送信手段により前記保存手段に保持されたラスター画像データを前記画像出力装置に再送信する指示を行うための再送信指示手段をさらに備えたことを特徴とする請求項３に記載の制御装置。
【請求項５】
ラスター画像データに基づく画像を出力することで校正用の色見本を作成する画像出力手段に対して、前記ラスター画像データを送信する制御装置のコンピュータにおいて実行させるプログラムであって、
外部装置から受けた前記校正用の画像データを解析して、当該画像データにＲＩＰ処理が施されていない場合に、これを施す解析加工ステップと、
前記ＲＩＰ処理が施されたラスター画像データを保存する保存ステップと、
前記保存されたラスター画像データを前記画像出力装置に送信する送信ステップと、
前記送信後に前記保存手段に保持されたラスター画像データを消去する第１のモードと、前記送信後にも前記保存手段に保持されたラスター画像データを継続して保持する第２のモードの内、前記第１のモードが予め選択された場合に、前記送信後に前記保存手段に保持された前記ラスター画像データを消去する消去ステップと、を含むことを特徴とするプログラム。
【手続補正２】
【補正対象書類名】明細書
【補正対象項目名】発明の名称
【補正方法】変更
【補正の内容】
【発明の名称】画像出力システム、制御装置、及び制御装置のコンピュータを実行させるためのプログラム
【手続補正３】
【補正対象書類名】明細書
【補正対象項目名】００１８
【補正方法】変更
【補正の内容】
【００１８】
本発明は、上述した課題を鑑みてなされたものであり、その目的とするところは、ＲＩＰ処理後の画像データを保存手段に保存した上で画像出力装置に送信した後、前記保存手段に保持される画像データを消去する第１のモードと、前記保存手段に保持される画像データを継続して保持する第２のモードとを選択可能に設けることで、作業者の意図に応じて、即ち、再出力する必要のないものについては、画像出力装置への送信後、保存手段に保持された当該ＲＩＰ処理後の画像データを消去し、また、再出力する必要があるものについては、画像出力装置への送信後も保存手段に保持された当該ＲＩＰ処理後の画像データを継続して保持し、これを再出力する際に利用する（即ち、再度、ＲＩＰ処理を行うことがない）といった効率の良い画像データの送信処理を行い、これをもって、効率の良い画像データの出力処理を行うことを可能にする画像出力システム、制御装置、及び制御装置のコンピュータを実行させるためのプログラムを提供することにある。
【手続補正４】
【補正対象書類名】明細書
【補正対象項目名】００１９
【補正方法】変更
【補正の内容】
【００１９】
さらに、第１のモードにおいては、再出力する必要のないものを、随時、書込み／消去していくことになることから、ＲＩＰ処理後の画像データを、容量が小さくとも高速な読み書き性能を有する半導体メモリに保存することにし、また、第２のモードにおいては、再出力する必要があるものを、順次、保存していくことになることから、ＲＩＰ処理後の画像データを、一般的な読み書き速度ではあるが容量の大きい磁気記憶媒体に保存することにすることで、作業者の意図に応じた効率の良い画像データの保存処理を行い、これをもって、より効率の良い画像データの出力処理を行うことを可能にする画像出力システム、制御装置、及び制御装置のコンピュータを実行させるためのプログラムを提供することにある。
【手続補正５】
【補正対象書類名】明細書
【補正対象項目名】００２１
【補正方法】変更
【補正の内容】
【００２１】
上記課題を解決するために、請求項３記載の発明は、ラスター画像データに基づく画像を出力することで校正用の色見本を作成する画像出力手段に対して、前記ラスター画像データを送信する制御装置であって、外部装置から受けた前記校正用の画像データを解析して、当該画像データにＲＩＰ処理が施されていない場合に、これを施す解析加工手段と、前記ＲＩＰ処理が施されたラスター画像データを保存する保存手段と、前記保存されたラスター画像データを前記画像出力装置に送信する送信手段と、前記送信後に前記保存手段に保持されたラスター画像データを消去する第１のモードと、前記送信後にも前記保存手段に保持されたラスター画像データを継続して保持する第２のモードの何れか一方を選択するためのモード選択手段と、前記モード選択手段により前記第１のモードが予め選択された場合に、前記送信後に前記保存手段に保持された前記ラスター画像データを消去する消去手段と、を有することを特徴とする。
【手続補正６】
【補正対象書類名】明細書
【補正対象項目名】００２２
【補正方法】変更
【補正の内容】
【００２２】
上記課題を解決するために、請求項５記載の発明は、ラスター画像データに基づく画像を出力することで校正用の色見本を作成する画像出力手段に対して、前記ラスター画像データを送信する制御装置のコンピュータにおいて実行させるプログラムであって、外部装置から受けた前記校正用の画像データを解析して、当該画像データにＲＩＰ処理が施されていない場合に、これを施す解析加工ステップと、前記ＲＩＰ処理が施されたラスター画像データを保存する保存ステップと、前記保存されたラスター画像データを前記画像出力装置に送信する送信ステップと、前記送信後に前記保存手段に保持されたラスター画像データを消去する第１のモードと、前記送信後にも前記保存手段に保持されたラスター画像データを継続して保持する第２のモードの内、前記第１のモードが予め選択された場合に、前記送信後に前記保存手段に保持された前記ラスター画像データを消去する消去ステップと、を含むことを特徴とする。
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】